(57)【要約】【課題】  キャプチャ装置が、近傍に存在する被キャプチャ装置群から、ライフログ情報またはライフログ情報への参照情報を収集し、これらをグループ化して各個人のライフログ記憶手段に保存する。【解決手段】  本発明は、被キャプチャ装置が時々刻々状態情報生成するような温度センサのような装置であった場合には、無線空間を介して状態情報と参照ＩＤを取得してキャプチャ装置でそれらをグループ化して管理し、また、被キャプチャ装置がＰＣのように編集中の状態情報を持っている場合には、キャプチャ装置はそれらの参照ＩＤのみを取得してグループ化して管理する。また、被キャプチャ装置でキャプチャ要求があった時点で状態情報を生成していない場合には、その時点における状態情報を生成して、キャプチャ装置に当該状態情報の参照ＩＤを送信し、キャプチャ装置ではそれらをグループ化して管理する。【選択図】  図１
2011076454.tif 000002
【特許請求の範囲】
【請求項１】
個人の生活や行動にまつわる状態情報群をグループ化して追記する情報グループ化システムであって、
キャプチャ装置と被キャプチャ装置からなり、
前記キャプチャ装置は、
ユーザのキャプチャ操作をトリガ信号として出力するトリガ手段と、
情報の発信、受信、送信を行う第１の通信手段と、
ＩＤ取得要求に応じて、空間的かつ時間的に唯一であるＩＤを生成し、要求元に返すＩＤ生成手段と、
情報を永続的に記憶する情報記憶手段と、
前記トリガ手段から前記トリガ信号を受け取ると、前記第１の通信手段を介して、通信可能範囲内にあるそれぞれの前記被キャプチャ装置が発信、送信した状態情報を受信し、受信したそれぞれの前記状態情報をまとめて１つのグループとし、前記ＩＤ生成手段に対してＩＤ取得要求を行い、取得したＩＤをグループＩＤとして前記状態情報のグループに対応付けて前記情報記憶手段に追記するキャプチャ制御手段と、
を有し、
前記被キャプチャ装置は、
情報の発信、受信、送信を行う第２の通信手段と、
状態情報を生成する状態情報生成手段と、を有する
ことを特徴とする情報グループ化システム。
【請求項２】
前記被キャプチャ装置の前記状態情報生成手段は、
前記状態情報を時々刻々自動的に生成し、該状態情報を前記第２の通信手段を介して発信し、
前記キャプチャ装置の前記キャプチャ制御手段は、
前記トリガ手段から前記トリガ信号を受け取ると、前記第１の通信手段を介して、通信可能範囲内にあるそれぞれの前記被キャプチャ装置がその時点で発信している状態情報を受信し、受信したそれぞれの状態情報をまとめて１つのグループとし、前記ＩＤ生成手段に対してＩＤ取得要求を行い、取得したＩＤをグループＩＤとして前記状態情報のグループに対応付けて前記情報記憶手段に追記する
ことを特徴とする請求項１記載の情報グループ化システム。
【請求項３】
前記被キャプチャ装置の前記状態情報生成手段は、
前記第２の通信手段を介して、前記キャプチャ装置からキャプチャ要求を受信すると、状態情報を生成し、これを前記第２の通信手段を介して要求元のキャプチャ装置に返信し、
前記キャプチャ装置の前記キャプチャ制御手段は、
前記トリガ手段から前記トリガ信号を受け取ると、前記第１の通信手段を介して、通信可能範囲内にあるそれぞれの前記被キャプチャ装置にキャプチャ要求を送信し、それぞれの被キャプチャ装置から返信されてきた状態情報を受信し、受信したそれぞれの状態情報をまとめて１つのグループとし、前記ＩＤ生成手段に対してＩＤ取得要求を行い、取得したＩＤをグループＩＤとして該状態情報のグループに対応付けて前記情報記憶手段に追記する
ことを特徴とする請求項１記載の情報グループ化システム。
【請求項４】
前記被キャプチャ装置の前記状態情報生成手段は、
前記状態情報を時々刻々自動的に生成し、該状態情報を前記第２の通信手段を介して発信する手段、
前記第２の通信手段を介して、前記キャプチャ装置からキャプチャ要求を受信すると、状態情報を生成し、これを前記第２の通信手段を介して要求元のキャプチャ装置に返信する手段、
のいずれか、または、両方を有し、
前記キャプチャ装置の前記キャプチャ制御手段は、
前記トリガ手段から前記トリガ信号を受け取ると、前記第１の通信手段を介して、通信可能範囲内にあるそれぞれの前記被キャプチャ装置がその時点で発信している状態情報を受信し、受信したそれぞれの状態情報をまとめて１つのグループとし、前記ＩＤ生成手段に対してＩＤ取得要求を行い、取得したＩＤをグループＩＤとして前記状態情報のグループに対応付けて前記情報記憶手段に追記する手段、
前記トリガ手段から前記トリガ信号を受け取ると、前記第１の通信手段を介して、通信可能範囲内にあるそれぞれの前記被キャプチャ装置にキャプチャ要求を送信し、それぞれの被キャプチャ装置から返信されてきた状態情報を受信し、受信したそれぞれの状態情報をまとめて１つのグループとし、前記ＩＤ生成手段に対してＩＤ取得要求を行い、取得したＩＤをグループＩＤとして該状態情報のグループに対応付けて前記情報記憶手段に追記する手段、
のいずれか、または、両方を有することを特徴とする請求項１記載の情報グループ化システム。
【請求項５】
前記キャプチャ装置の前記ＩＤ生成手段は、
前記ＩＤ取得要求に応じて、時刻及び被キャプチャ装置を識別可能で、空間的かつ時間的に唯一であるＩＤを生成し、該ＩＤを該ＩＤ取得要求の要求元に返す
ことを特徴とする請求項１乃至４のいずれか１項に記載の情報グループ化システム。
【請求項６】
前記キャプチャ装置の前記ＩＤ生成手段は、前記ＩＤ取得要求に応じて、時刻及び前記被キャプチャ装置に加えて場所を識別可能で、空間的かつ時間的に唯一であるＩＤを生成し、該ＩＤを該ＩＤ取得要求の要求元に返す
ことを特徴とする請求項５記載の情報グループ化システム。
【請求項７】
前記キャプチャ装置の前記キャプチャ制御手段は、
前記グループＩＤと前記状態情報のグループの組を前記情報記憶手段に追記する際に、当該キャプチャ装置のユーザ毎に区別して、該情報記憶手段に追記する
ことを特徴とする請求項１乃至６のいずれか１項に記載の情報グループ化システム。
【請求項８】
個人の生活や行動にまつわる状態情報をグループ化して蓄積する情報グループ化システムであって、
キャプチャ装置と被キャプチャ装置からなり、
前記キャプチャ装置は、
ユーザのキャプチャ操作をトリガ信号として出力するトリガ手段と、
情報の発信、受信、送信を行う第１の通信手段と、
ＩＤ取得要求に応じて、空間的かつ時間的に唯一であるＩＤを生成し、要求元に返すＩＤ生成手段と、
情報を永続的に記憶する第１の情報記憶手段と、
前記トリガ手段から前記トリガ信号を受け取ると、前記第１の通信手段を介して、通信可能範囲内にあるそれぞれの前記被キャプチャ装置から状態情報の参照ＩＤを受信し、受信したそれぞれの該状態情報の参照ＩＤをまとめて１つのグループとし、前記ＩＤ生成手段に対してＩＤ取得要求を行い、取得したＩＤをグループＩＤとして該状態情報の参照ＩＤのグループに対応付けて前記第１の情報記憶手段に追記するキャプチャ制御手段と、
を有し、
前記被キャプチャ装置は、
情報の発信、受信、送信を行う第２の通信手段と、
情報を永続的に記憶する第２の情報記憶手段と、
前記第２の通信手段を介して受信したキャプチャ要求に対して、状態情報に参照ＩＤを付与して、前記第２の情報記憶手段に追記するとともに、該状態情報の参照ＩＤを前記第２の通信手段を介して要求元に返信する状態情報制御手段と、
を有することを特徴とする情報グループ化システム。
【請求項９】
前記被キャプチャ装置の状態情報制御手段は、
前記第２の通信手段を介して受信したキャプチャ要求に対して、状態情報を新たに生成し、該状態情報に参照ＩＤを付与して、前記第２の情報記憶手段に追記すると共に、該状態情報の参照ＩＤを第２の通信手段を介して要求元に返信する
ことを特徴とする請求項８記載の情報グループ化システム。
【請求項１０】
前記被キャプチャ装置の前記状態情報制御手段は、
前記第２の通信手段を介して受信したキャプチャ要求に対して、その時点で開かれている情報を状態情報とし、該状態情報に参照ＩＤを付与して、前記第２の情報記憶手段に追記すると共に、該状態情報の参照ＩＤを該第２の通信手段を介して要求元に返信する
ことを特徴とする請求項８記載の情報グループ化システム。
【請求項１１】
前記被キャプチャ装置の前記状態情報制御手段は、
前記第２の通信手段を介して受信したキャプチャ要求に対して、状態情報を新たに生成し、該状態情報に参照ＩＤを付与して、前記第２の情報記憶手段に追記すると共に、該状態情報の参照ＩＤを第２の通信手段を介して要求元に返信する手段、
前記第２の通信手段を介して受信したキャプチャ要求に対して、その時点で開かれている情報を状態情報とし、該状態情報に参照ＩＤを付与して、前記第２の情報記憶手段に追記すると共に、該状態情報の参照ＩＤを該第２の通信手段を介して要求元に返信する手段、
のいずれか一方、または、両方を有する
ことを特徴とする請求項８記載の情報グループ化システム。
【請求項１２】
前記キャプチャ装置の前記ＩＤ生成手段は、
前記ＩＤ取得要求に応じて、時刻及び被キャプチャ装置を識別可能で、空間的かつ時間的に唯一であるＩＤを生成し、該ＩＤを該ＩＤ取得要求の要求元に返す
ことを特徴とする請求項８乃至１１のいずれか１項に記載の情報グループ化システム。
【請求項１３】
前記キャプチャ装置の前記ＩＤ生成手段は、
前記ＩＤ取得要求に応じて、時刻及び被キャプチャ装置に加えて場所を識別可能で、空間的かつ時間的に唯一であるＩＤを生成し、該ＩＤを該ＩＤ取得要求の要求元に返す
ことを特徴とする請求項１２記載の情報グループ化システム。
【請求項１４】
前記キャプチャ装置の前記キャプチャ制御手段は、グループＩＤと状態情報のグループの組を前記第１の情報記憶手段に追記する際、当該キャプチャ装置のユーザ毎に区別して、該第１の情報記憶手段に追記する
ことを特徴とする請求項８乃至１３のいずれか１項に記載の情報グループ化システム。
【請求項１５】
キャプチャ装置と被キャプチャ装置からなり、個人の生活や行動にまつわる情報群をグループ化して追記・蓄積する情報グループ化システムにおける情報グループ化方法であって、
前記被キャプチャ装置は、
状態情報を時々刻々自動生成して発信し、
前記キャプチャ装置は、
ユーザのキャプチャ操作をトリガ信号として受け取ると、
通信可能範囲内にあるそれぞれの前記被キャプチャ装置が発信している状態情報を受信し、
受信したそれぞれの状態情報をまとめて１つのグループとし、
空間的かつ時間的に唯一であるＩＤを生成し、それをグループＩＤとして前記状態情報のグループに対応付けて、情報記憶手段に追記する
ことを特徴とする情報グループ化方法。
【請求項１６】
キャプチャ装置と被キャプチャ装置からなり、個人の生活や行動にまつわる状態情報群をグループ化して追記・蓄積する情報グループ化システムにおける情報グループ化方法であって、
前記キャプチャ装置は、
ユーザのキャプチャ操作をトリガ信号として受け取ると、
通信可能範囲内にあるそれぞれの前記被キャプチャ装置に対してキャプチャ要求を送信し、
前記被キャプチャ装置は、
前記キャプチャ装置からの前記キャプチャ要求に対し、その時点で状態情報を生成して前記要求元のキャプチャ装置に返信し、
前記キャプチャ装置は、
前記それぞれの被キャプチャ装置から状態情報群を受信し、
受信したそれぞれの状態情報をまとめて１つのグループとし、
空間的かつ時間的に唯一であるＩＤを生成し、それをグループＩＤとして前記状態情報のグループに対応付けて、情報記憶手段に追記する
ことを特徴とする情報グループ化方法。
【請求項１７】
キャプチャ装置と被キャプチャ装置からなり、個人の生活や行動にまつわる状態情報群をグループ化して追記・蓄積する情報グループ化システムにおける情報グループ化方法であって、
前記キャプチャ装置は、
ユーザのキャプチャ操作をトリガ信号として受け取ると、
通信可能範囲内にあるそれぞれの被キャプチャ装置に対してキャプチャ要求を送信し、
前記被キャプチャ装置は、
前記キャプチャ装置からの前記キャプチャ要求に対し、その時点で状態情報を生成して前記要求元のキャプチャ装置に返信し、
前記キャプチャ装置は、
それぞれの被キャプチャ装置から受信した状態情報をまとめて１つのグループとし、
空間的かつ時間的に唯一であるＩＤを生成し、それをグループＩＤとして前記状態情報のグループに対応付けて、情報記憶手段に追記する
ことを特徴とする情報グループ化方法。
【請求項１８】
キャプチャ装置と被キャプチャ装置からなり、個人の生活や行動にまつわる状態情報群をグループ化して追記・蓄積する情報グループ化システムにおける情報グループ化方法であって、
前記キャプチャ装置は、
ユーザのキャプチャ操作をトリガ信号として受け取ると、
通信可能範囲内にあるそれぞれの被キャプチャ装置に対してキャプチャ要求を送信し、
前記被キャプチャ装置は、
前記キャプチャ装置からの前記キャプチャ要求に対し、その時点で状態情報を生成して、それに参照ＩＤを付与して第２の情報記憶手段に追記すると共に、該参照ＩＤを要求元のキャプチャ装置に返信し、
前記キャプチャ装置は、
それぞれの被キャプチャ装置から受信した参照ＩＤをまとめて１つのグループとし、
空間的かつ時間的に唯一であるＩＤを生成し、それをグループＩＤとして前記参照ＩＤのグループに対応付けて、第１の情報記憶手段に追記する
ことを特徴とする情報グループ化方法。
【請求項１９】
キャプチャ装置と被キャプチャ装置からなり、個人の生活や行動にまつわる状態情報群をグループ化して追記・蓄積する情報グループ化システムにおける情報グループ化方法であって、
前記キャプチャ装置は、
ユーザのキャプチャ操作をトリガ信号として受け取ると、
通信可能範囲内にあるそれぞれの被キャプチャ装置に対してキャプチャ要求を送信し、
前記被キャプチャ装置は、
前記キャプチャ装置からの前記キャプチャ要求に対し、その時点で開いている情報を状態情報とし、それに参照ＩＤを付与して第２の情報記憶手段に追記すると共に、前記参照ＩＤを要求元のキャプチャ装置に返信し、
前記キャプチャ装置は、
それぞれの被キャプチャ装置から受信した参照ＩＤをまとめて１つのグループとし、
空間的かつ時間的に唯一であるＩＤを生成し、それをグループＩＤとして前記参照ＩＤのグループに対応付けて、第１の情報記憶手段に追記する
ことを特徴とする情報グループ化方法。
【請求項２０】
キャプチャ装置と被キャプチャ装置からなり、個人の生活や行動にまつわる状態情報群をグループ化して追記・蓄積する情報グループ化システムにおける情報グループ化方法であって、
前記キャプチャ装置は、
ユーザのキャプチャ操作をトリガ信号として受け取ると、
通信可能範囲内にあるそれぞれの被キャプチャ装置に対してキャプチャ要求を送信し、
前記被キャプチャ装置は、
前記キャプチャ装置からの前記キャプチャ要求に対し、その時点で開いている情報を状態情報とし、それに参照ＩＤを付与して第３の情報記憶手段に追記すると共に、該参照ＩＤを要求元のキャプチャ装置に返信し、
前記キャプチャ装置は、
前記被キャプチャ装置それぞれから受信した参照ＩＤをまとめて１つのグループとし、
空間的かつ時間的に唯一であるＩＤを生成し、それをグループＩＤとして前記参照ＩＤのグループに対応付けて、前記第１の情報記憶手段に追記する
ことを特徴とする情報グループ化方法。
【請求項２１】
キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信手段を介して通信可能範囲内にあるそれぞれの前記被キャプチャ装置が発信している状態情報を受信するステップと、
受信したそれぞれの状態情報をまとめて１つのグループとするステップと、
空間的かつ時間的に唯一であるＩＤを生成し、それをグループＩＤとして前記状態情報のグループに対応付けて、情報記憶手段に追記するステップと、
を有することを特徴とする情報グループ化プログラム。
【請求項２２】
キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信手段を介して通信可能範囲内にあるそれぞれの前記被キャプチャ装置に対してキャプチャ要求を送信するステップと、
それぞれの被キャプチャ装置から前記通信手段を介して状態情報群を受信するステップと、
受信したそれぞれの状態情報をまとめて１つのグループとするステップと、
空間的かつ時間的に唯一であるＩＤを生成し、それをグループＩＤとして前記状態情報のグループに対応付けて、情報記憶手段に追記するステップと、
を有することを特徴とする情報グループ化プログラム。
【請求項２３】
キャプチャ装置と被キャプチャ装置からなり、個人の生活や行動にまつわる状態情報群をグループ化して追記する情報グループ化システムにおける被キャプチャ装置として利用されるコンピュータで実行される情報グループ化プログラムであって、
通信手段を介して前記キャプチャ装置からの前記キャプチャ要求を受信するステップと、
前記キャプチャ要求に対し、その時点で状態情報を生成して前記要求元のキャプチャ装置に返信するステップと、
を有することを特徴とする情報グループ化プログラム。
【請求項２４】
キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信可能範囲内にあるそれぞれの被キャプチャ装置に対してキャプチャ要求を送信するステップと、
それぞれの前記被キャプチャ装置から受信した状態情報をまとめて１つのグループとするステップと、
空間的かつ時間的に唯一であるＩＤを生成し、それをグループＩＤとして前記状態情報のグループに対応付けて、情報記憶手段に追記するステップと、
を有することを特徴とする情報グループ化プログラム。
【請求項２５】
キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
前記キャプチャ装置は、
ユーザのキャプチャ操作をトリガ信号として受け取ると、
通信手段を介して通信可能範囲内にあるそれぞれの被キャプチャ装置に対してキャプチャ要求を送信するステップと、
それぞれの被キャプチャ装置から受信した参照ＩＤをまとめて１つのグループとするステップと、
空間的かつ時間的に唯一であるＩＤを生成し、それをグループＩＤとして前記参照ＩＤのグループに対応付けて、情報記憶手段に追記するステップと、
を有することを特徴とする情報グループ化プログラム。
【請求項２６】
キャプチャ装置と被キャプチャ装置からなり、個人の生活や行動にまつわる状態情報群をグループ化して追記する情報グループ化システムにおける被キャプチャ装置として利用されるコンピュータで実行される情報グループ化プログラムであって、
前記キャプチャ装置からの前記キャプチャ要求に対し、その時点で状態情報を生成するステップと、
前記状態情報に参照ＩＤを付与して情報記憶手段に追記すると共に、該参照ＩＤを要求元のキャプチャ装置に返信するステップと、
を有することを特徴とする情報グループ化プログラム。
【請求項２７】
キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信手段を介して通信可能範囲内にあるそれぞれの被キャプチャ装置に対してキャプチャ要求を送信するステップと、
前記通信手段を介してそれぞれの被キャプチャ装置から参照ＩＤを受信するステップと、
受信した前記参照ＩＤをまとめて１つのグループとするステップと、
空間的かつ時間的に唯一であるＩＤを生成し、それをグループＩＤとして前記参照ＩＤのグループに対応付けて、情報記憶手段に追記するステップと、
を有することを特徴とする情報グループ化プログラム。
【請求項２８】
キャプチャ装置と被キャプチャ装置からなり、個人の生活や行動にまつわる状態情報群をグループ化して追記する情報グループ化システムにおける被キャプチャ装置として利用されるコンピュータで実行される情報グループ化プログラムであって、
通信手段を介して前記キャプチャ装置からの前記キャプチャ要求を受信するステップと、
前記キャプチャ要求に対し、その時点で開いている情報を状態情報とし、それに参照ＩＤを付与して情報記憶手段に追記するステップと、
前記通信手段を介して前記参照ＩＤを要求元のキャプチャ装置に返信するステップと、
を有することを特徴とする情報グループ化プログラム。
【請求項２９】
キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信可能範囲内にあるそれぞれの被キャプチャ装置に対して通信手段を介してキャプチャ要求を送信するステップと、
前記被キャプチャ装置のそれぞれから受信した参照ＩＤをまとめて１つのグループとするステップと、
空間的かつ時間的に唯一であるＩＤを生成し、それをグループＩＤとして前記参照ＩＤのグループに対応付けて、情報記憶手段に追記するステップと、
を有することを特徴とする情報グループ化プログラム。
【請求項３０】
キャプチャ装置と被キャプチャ装置からなり、個人の生活や行動にまつわる状態情報群をグループ化して追記する情報グループ化システムにおける被キャプチャ装置として利用されるコンピュータで実行される情報グループ化プログラムであって、
前記キャプチャ装置から通信手段を介してキャプチャ要求を受信するステップと、
前記キャプチャ要求に対し、その時点で開いている情報を状態情報とし、それに参照ＩＤを付与して情報記憶手段に追記するステップと、
前記通信手段を介して前記参照ＩＤを要求元のキャプチャ装置に返信するステップと、
を有することを特徴とする情報グループ化プログラム。
【発明の詳細な説明】
【技術分野】
【０００１】
本発明は、情報グループ化システム及び方法及びプログラムに係り、特に、ライフログ情報群をグループ化して追記するための情報グループ化システム及び方法及びプログラムに関する。
【背景技術】
【０００２】
「ライフログ」とは、人間の生活や行動にまつわる情報群である。ライフログとして扱われ得る情報は様々である。例えば、MyLifeBitsプロジェクトでは、電子メールやインスタント・メッセンジャーで送受信したメッセージ、閲覧したＷｅｂメッセージ、撮影した写真、聞いた音楽やラジオ番組、見たいビデオやテレビ番組、作成したり閲覧したりした文書などに加えて、携帯電話での会話や、胸に下げたカメラで撮影された画像、ＧＰＳで記録される移動軌跡などを、個人データベースに保存している（例えば、非特許文献１参照）。他の例としては、個人のブログ記事なども、ライフログ情報に該当すると考えられる。
【先行技術文献】
【非特許文献】
【０００３】
【非特許文献１】"MyLifeBits: A Personal Database for Everything".  Jim Gemme II, Gordon Bell, and Roger Lueder, http://research.microsoft.com/pubs/64157/tr-2006-23.pdf
【発明の概要】
【発明が解決しようとする課題】
【０００４】
しかしながら、上述のライフログ情報管理システムにおいては、まず様々なライフログ情報を独立に収集・蓄積したのち、再利用するという手法をとっているため、再利用の際、膨大な情報の中から必要な情報を見つけるために、事前に計算機を用いて情報を見つけやすいよう分類したり、索引付けしたりする必要があるという問題があった。
【０００５】
また、特に、自動撮影、録音等を用いてライフログ情報を収集する場合、自分が重要だと思った瞬間の画像・音声等が記録されていなかったり、あるいは記録されていたとしても膨大な情報の中からその瞬間を後から探し出すことは困難であるという問題があった。
【０００６】
本発明は、上記の点に鑑みなされたもので、ライフログの収集対象であり収集者、利用者でもある各個人に、自分が重要だと思う瞬間にキャプチャ要求を発行できるキャプチャ装置を持たせ、ユーザがキャプチャ要求を発行した瞬間に、キャプチャ装置が、近傍に存在する被キャプチャ装置群から、ライフログ情報またはライフログ情報への参照情報を収集し、これらをグループ化して各個人のライフログ記憶手段に保存することが可能な情報グループ化システム及び方法及びプログラムを提供することを目的とする。
【課題を解決するための手段】
【０００７】
図１は、本発明の第１の原理構成図である。
【０００８】
本発明（請求項１）は、個人の生活や行動にまつわる状態情報群をグループ化して追記する情報グループ化システムであって、
キャプチャ装置１００と被キャプチャ装置２００からなり、
キャプチャ装置１００は、
ユーザのキャプチャ操作をトリガ信号として出力するトリガ手段１１０と、
情報の発信、受信、送信を行う第１の通信手段１２０と、
ＩＤ取得要求に応じて、空間的かつ時間的に唯一であるＩＤを生成し、要求元に返すＩＤ生成手段１４０と、
情報を永続的に記憶する情報記憶手段１５０と、
トリガ手段１１０からトリガ信号を受け取ると、第１の通信手段１２０を介して、通信可能範囲内にあるそれぞれの被キャプチャ装置２００が発信、送信した状態情報を受信し、受信したそれぞれの状態情報をまとめて１つのグループとし、ＩＤ生成手段１４０に対してＩＤ取得要求を行い、取得したＩＤをグループＩＤとして状態情報のグループに対応付けて情報記憶手段１５０に追記するキャプチャ制御手段１３０と、
を有し、
被キャプチャ装置２００は、
情報の発信、受信、送信を行う第２の通信手段２１０と、
状態情報を生成する状態情報生成手段２５０と、を有する。
【０００９】
また、本発明（請求項２）は、請求項１の情報グループ化システムにおいて、
被キャプチャ装置２００の状態情報生成手段２５０は、
状態情報を時々刻々自動的に生成し、該状態情報を第２の通信手段を介して発信し、
キャプチャ装置１００のキャプチャ制御手段１３０は、
トリガ手段１１０からトリガ信号を受け取ると、第１の通信手段１２０を介して、通信可能範囲内にあるそれぞれの被キャプチャ装置がその時点で発信している状態情報を受信し、受信したそれぞれの状態情報をまとめて１つのグループとし、ＩＤ生成手段１４０に対してＩＤ取得要求を行い、取得したＩＤをグループＩＤとして状態情報のグループに対応付けて情報記憶手段１５０に追記する。
【００１０】
また、本発明（請求項３）は、請求項１の情報グループ化システムにおいて、
被キャプチャ装置２００の状態情報生成手段２５０は、
第２の通信手段２１０を介して、キャプチャ装置１００からキャプチャ要求を受信すると、状態情報を生成し、これを第２の通信手段２１０を介して要求元のキャプチャ装置１００に返信し、
キャプチャ装置１００のキャプチャ制御手段１３０は、
トリガ手段１１０からトリガ信号を受け取ると、第１の通信手段１２０を介して、通信可能範囲内にあるそれぞれの被キャプチャ装置２００にキャプチャ要求を送信し、それぞれの被キャプチャ装置２００から返信されてきた状態情報を受信し、受信したそれぞれの状態情報をまとめて１つのグループとし、ＩＤ生成手段１４０に対してＩＤ取得要求を行い、取得したＩＤをグループＩＤとして該状態情報のグループに対応付けて情報記憶手段１５０に追記する。
【００１１】
また、本発明（請求項４）は、請求項１の情報グループ化システムにおいて、
被キャプチャ装置２００の状態情報生成手段２５０は、
状態情報を時々刻々自動的に生成し、該状態情報を第２の通信手段を介して発信する手段、
第２の通信手段を介して、キャプチャ装置からキャプチャ要求を受信すると、状態情報を生成し、これを第２の通信手段を介して要求元のキャプチャ装置に返信する手段、
のいずれか、または、両方を有し、
キャプチャ装置１００のキャプチャ制御手段１３０は、
トリガ手段１１０からトリガ信号を受け取ると、第１の通信手段１２０を介して、通信可能範囲内にあるそれぞれの被キャプチャ装置がその時点で発信している状態情報を受信し、受信したそれぞれの状態情報をまとめて１つのグループとし、ＩＤ生成手段１４０に対してＩＤ取得要求を行い、取得したＩＤをグループＩＤとして状態情報のグループに対応付けて情報記憶手段１５０に追記する手段、
トリガ手段１１０からトリガ信号を受け取ると、第１の通信手段１２０を介して、通信可能範囲内にあるそれぞれの被キャプチャ装置００にキャプチャ要求を送信し、それぞれの被キャプチャ装置２００から返信されてきた状態情報を受信し、受信したそれぞれの状態情報をまとめて１つのグループとし、ＩＤ生成手段１４０に対してＩＤ取得要求を行い、取得したＩＤをグループＩＤとして該状態情報のグループに対応付けて情報記憶手段１５０に追記する手段、
のいずれか、または、両方を有する。
【００１２】
また、本発明（請求項５）は、請求項１乃至４のいずれかの情報グループ化システムにおいて、
キャプチャ装置１００のＩＤ生成手段１４０は、
ＩＤ取得要求に応じて、時刻及び被キャプチャ装置を識別可能で、空間的かつ時間的に唯一であるＩＤを生成し、該ＩＤを該ＩＤ取得要求の要求元に返す。
【００１３】
また、本発明（請求項６）は、請求項５の情報グループ化システムにおいて、
キャプチャ装置１００のＩＤ生成手段１４０は、ＩＤ取得要求に応じて、時刻及び被キャプチャ装置に加えて場所を識別可能で、空間的かつ時間的に唯一であるＩＤを生成し、該ＩＤを該ＩＤ取得要求の要求元に返す。
【００１４】
また、本発明（請求項７）は、請求項１乃至６のいずれかの情報グループ化システムにおいて、
キャプチャ装置１００のキャプチャ制御手段１３０は、
グループＩＤと状態情報のグループの組を情報記憶手段１５０に追記する際に、当該キャプチャ装置のユーザ毎に区別して、該情報記憶手段１５０に追記する。
【００１５】
図２は、本発明の第２の原理構成図である。
【００１６】
本発明（請求項８）は、個人の生活や行動にまつわる状態情報をグループ化して蓄積する情報グループ化システムであって、
キャプチャ装置１００と被キャプチャ装置２００からなり、
キャプチャ装置１００は、
ユーザのキャプチャ操作をトリガ信号として出力するトリガ手段１１０と、
情報の発信、受信、送信を行う第１の通信手段１２０と、
ＩＤ取得要求に応じて、空間的かつ時間的に唯一であるＩＤを生成し、要求元に返すＩＤ生成手段１４０と、
情報を永続的に記憶する第１の情報記憶手段１５０と、
トリガ手段１１０からトリガ信号を受け取ると、第１の通信手段１２０を介して、通信可能範囲内にあるそれぞれの被キャプチャ装置２００から状態情報の参照ＩＤを受信し、受信したそれぞれの該状態情報の参照ＩＤをまとめて１つのグループとし、ＩＤ生成手段１４０に対してＩＤ取得要求を行い、取得したＩＤをグループＩＤとして該状態情報の参照ＩＤのグループに対応付けて第１の情報記憶手段１５０に追記するキャプチャ制御手段１３０と、
を有し、
被キャプチャ装置２００は、
情報の発信、受信、送信を行う第２の通信手段２１０と、
情報を永続的に記憶する第２の情報記憶手段２３０と、
第２の通信手段２１０を介して受信したキャプチャ要求に対して、状態情報に参照ＩＤを付与して、第２の情報記憶手段２３０に追記するとともに、該状態情報の参照ＩＤを第２の通信手段を介して要求元に返信する状態情報制御手段２２０と、を有する。
【００１７】
また、本発明（請求項９）は、請求項８の情報グループ化システムにおいて、
被キャプチャ装置２００の状態情報制御手段２２０は、
第２の通信手段２１０を介して受信したキャプチャ要求に対して、状態情報を新たに生成し、該状態情報に参照ＩＤを付与して、第２の情報記憶手段２３０に追記すると共に、該状態情報の参照ＩＤを第２の通信手段２１０を介して要求元に返信する。
【００１８】
また、本発明（請求項１０）は、請求項８の情報グループ化システムにおいて、
被キャプチャ装置２００の状態情報制御手段２２０は、
第２の通信手段２１０を介して受信したキャプチャ要求に対して、その時点で開かれている情報を状態情報とし、該状態情報に参照ＩＤを付与して、第２の情報記憶手段２３０に追記すると共に、該状態情報の参照ＩＤを該第２の通信手段２１０を介して要求元に返信する。
【００１９】
また、本発明（請求項１１）は、請求項８の情報グループ化システムにおいて、
被キャプチャ装置２００の状態情報制御手段２２０は、
第２の通信手段２１０を介して受信したキャプチャ要求に対して、状態情報を新たに生成し、該状態情報に参照ＩＤを付与して、第２の情報記憶手段２３０に追記すると共に、該状態情報の参照ＩＤを第２の通信手段２１０を介して要求元に返信する手段、
第２の通信手段２１０を介して受信したキャプチャ要求に対して、その時点で開かれている情報を状態情報とし、該状態情報に参照ＩＤを付与して、第２の情報記憶手段２３０に追記すると共に、該状態情報の参照ＩＤを該第２の通信手段２１０を介して要求元に返信する手段、
のいずれか一方、または、両方を有する。
【００２０】
また、本発明（請求項１２）は、請求項８乃至１１のいずれかの情報グループ化システムにおいて、
キャプチャ装置１００のＩＤ生成手段１４０は、
ＩＤ取得要求に応じて、時刻及び被キャプチャ装置を識別可能で、空間的かつ時間的に唯一であるＩＤを生成し、該ＩＤを該ＩＤ取得要求の要求元に返す。
【００２１】
また、本発明（請求項１３）は、請求項１２の情報グループ化システムにおいて、
キャプチャ装置１００のＩＤ生成手段１４０は、
ＩＤ取得要求に応じて、時刻及び被キャプチャ装置に加えて場所を識別可能で、空間的かつ時間的に唯一であるＩＤを生成し、該ＩＤを該ＩＤ取得要求の要求元に返す。
【００２２】
また、本発明（請求項１４）は、請求項８乃至１３のいずれかの情報グループ化システムにおいて、
キャプチャ装置１００のキャプチャ制御手段１３０は、グループＩＤと状態情報のグループの組を第１の情報記憶手段１５０に追記する際、当該キャプチャ装置のユーザ毎に区別して、該第１の情報記憶手段１５０に追記する。
【００２３】
図３は、本発明の第１の原理を説明するための図である。
【００２４】
本発明（請求項１５）は、キャプチャ装置と被キャプチャ装置からなり、個人の生活や行動にまつわる情報群をグループ化して追記・蓄積する情報グループ化システムにおける情報グループ化方法であって、
被キャプチャ装置は、
状態情報を時々刻々自動生成して発信し（ステップ１，２）、
キャプチャ装置は、
ユーザのキャプチャ操作をトリガ信号として受け取ると（ステップ３）、
通信可能範囲内にあるそれぞれの被キャプチャ装置が発信している状態情報を受信し（ステップ４）、
受信したそれぞれの状態情報をまとめて１つのグループとし（ステップ５）、
空間的かつ時間的に唯一であるＩＤを生成し、それをグループＩＤとして状態情報のグループに対応付けて（ステップ６）、情報記憶手段に追記する（ステップ７）。
【００２５】
本発明（請求項１６）は、キャプチャ装置と被キャプチャ装置からなり、個人の生活や行動にまつわる状態情報群をグループ化して追記・蓄積する情報グループ化システムにおける情報グループ化方法であって、
キャプチャ装置は、
ユーザのキャプチャ操作をトリガ信号として受け取ると、
通信可能範囲内にあるそれぞれの被キャプチャ装置に対してキャプチャ要求を送信し、
被キャプチャ装置は、
キャプチャ装置からのキャプチャ要求に対し、その時点で状態情報を生成して要求元のキャプチャ装置に返信し、
キャプチャ装置は、
それぞれの被キャプチャ装置から状態情報群を受信し、
受信したそれぞれの状態情報をまとめて１つのグループとし、
空間的かつ時間的に唯一であるＩＤを生成し、それをグループＩＤとして状態情報のグループに対応付けて、情報記憶手段に追記する。
【００２６】
本発明（請求項１７）は、キャプチャ装置と被キャプチャ装置からなり、個人の生活や行動にまつわる状態情報群をグループ化して追記・蓄積する情報グループ化システムにおける情報グループ化方法であって、
キャプチャ装置は、
ユーザのキャプチャ操作をトリガ信号として受け取ると、
通信可能範囲内にあるそれぞれの被キャプチャ装置に対してキャプチャ要求を送信し、
被キャプチャ装置は、
キャプチャ装置からのキャプチャ要求に対し、その時点で状態情報を生成して要求元のキャプチャ装置に返信し、
キャプチャ装置は、
それぞれの被キャプチャ装置から受信した状態情報をまとめて１つのグループとし、
空間的かつ時間的に唯一であるＩＤを生成し、それをグループＩＤとして状態情報のグループに対応付けて、情報記憶手段に追記する。
【００２７】
本発明（請求項１８）は、キャプチャ装置と被キャプチャ装置からなり、個人の生活や行動にまつわる状態情報群をグループ化して追記・蓄積する情報グループ化システムにおける情報グループ化方法であって、
キャプチャ装置は、
ユーザのキャプチャ操作をトリガ信号として受け取ると、
通信可能範囲内にあるそれぞれの被キャプチャ装置に対してキャプチャ要求を送信し、
被キャプチャ装置は、
キャプチャ装置からのキャプチャ要求に対し、その時点で状態情報を生成して、それに参照ＩＤを付与して第２の情報記憶手段に追記すると共に、該参照ＩＤを要求元のキャプチャ装置に返信し、
キャプチャ装置は、
それぞれの被キャプチャ装置から受信した参照ＩＤをまとめて１つのグループとし、
空間的かつ時間的に唯一であるＩＤを生成し、それをグループＩＤとして参照ＩＤのグループに対応付けて、第１の情報記憶手段に追記する。
【００２８】
本発明（請求項１９）は、キャプチャ装置と被キャプチャ装置からなり、個人の生活や行動にまつわる状態情報群をグループ化して追記・蓄積する情報グループ化システムにおける情報グループ化方法であって、
キャプチャ装置は、
ユーザのキャプチャ操作をトリガ信号として受け取ると、
通信可能範囲内にあるそれぞれの被キャプチャ装置に対してキャプチャ要求を送信し、
被キャプチャ装置は、
キャプチャ装置からのキャプチャ要求に対し、その時点で開いている情報を状態情報とし、それに参照ＩＤを付与して第２の情報記憶手段に追記すると共に、参照ＩＤを要求元のキャプチャ装置に返信し、
キャプチャ装置は、
それぞれの被キャプチャ装置から受信した参照ＩＤをまとめて１つのグループとし、
空間的かつ時間的に唯一であるＩＤを生成し、それをグループＩＤとして参照ＩＤのグループに対応付けて、第１の情報記憶手段に追記する。
【００２９】
図４は、本発明の第２の原理を説明するための図である。
【００３０】
本発明（請求項２０）は、キャプチャ装置と被キャプチャ装置からなり、個人の生活や行動にまつわる状態情報群をグループ化して追記・蓄積する情報グループ化システムにおける情報グループ化方法であって、
キャプチャ装置は、
ユーザのキャプチャ操作をトリガ信号として受け取ると（ステップ１０）、
通信可能範囲内にあるそれぞれの被キャプチャ装置に対してキャプチャ要求を送信し（ステップ１１）、
被キャプチャ装置は、
キャプチャ装置からのキャプチャ要求に対し、その時点で開いている情報を状態情報とし（ステップ１２）、それに参照ＩＤを付与して第３の情報記憶手段に追記する（ステップ１３）と共に、該参照ＩＤを要求元のキャプチャ装置に返信し（ステップ１４）、
キャプチャ装置は、
被キャプチャ装置それぞれから受信した参照ＩＤをまとめて１つのグループとし（ステップ１５）、
空間的かつ時間的に唯一であるＩＤを生成し、それをグループＩＤとして参照ＩＤのグループに対応付けて、第１の情報記憶手段に追記する（ステップ１９）。
【００３１】
本発明（請求項２１）は、キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信手段を介して通信可能範囲内にあるそれぞれの被キャプチャ装置が発信している状態情報を受信するステップと、
受信したそれぞれの状態情報をまとめて１つのグループとするステップと、
空間的かつ時間的に唯一であるＩＤを生成し、それをグループＩＤとして状態情報のグループに対応付けて、情報記憶手段に追記するステップと、を有する。
【００３２】
本発明（請求項２２）は、キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信手段を介して通信可能範囲内にあるそれぞれの被キャプチャ装置に対してキャプチャ要求を送信するステップと、
それぞれの被キャプチャ装置から通信手段を介して状態情報群を受信するステップと、
受信したそれぞれの状態情報をまとめて１つのグループとするステップと、
空間的かつ時間的に唯一であるＩＤを生成し、それをグループＩＤとして状態情報のグループに対応付けて、情報記憶手段に追記するステップと、を有する。
【００３３】
本発明（請求項２３）は、キャプチャ装置と被キャプチャ装置からなり、個人の生活や行動にまつわる状態情報群をグループ化して追記する情報グループ化システムにおける被キャプチャ装置として利用されるコンピュータで実行される情報グループ化プログラムであって、
通信手段を介してキャプチャ装置からのキャプチャ要求を受信するステップと、
キャプチャ要求に対し、その時点で状態情報を生成して要求元のキャプチャ装置に返信するステップと、を有する。
【００３４】
本発明（請求項２４）は、キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信可能範囲内にあるそれぞれの被キャプチャ装置に対してキャプチャ要求を送信するステップと、
それぞれの被キャプチャ装置から受信した状態情報をまとめて１つのグループとするステップと、
空間的かつ時間的に唯一であるＩＤを生成し、それをグループＩＤとして状態情報のグループに対応付けて、情報記憶手段に追記するステップと、を有する。
【００３５】
本発明（請求項２５）は、キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
キャプチャ装置は、
ユーザのキャプチャ操作をトリガ信号として受け取ると、
通信手段を介して通信可能範囲内にあるそれぞれの被キャプチャ装置に対してキャプチャ要求を送信するステップと、
それぞれの被キャプチャ装置から受信した参照ＩＤをまとめて１つのグループとするステップと、
空間的かつ時間的に唯一であるＩＤを生成し、それをグループＩＤとして参照ＩＤのグループに対応付けて、情報記憶手段に追記するステップと、を有する。
【００３６】
本発明（請求項２６）は、キャプチャ装置と被キャプチャ装置からなり、個人の生活や行動にまつわる状態情報群をグループ化して追記する情報グループ化システムにおける被キャプチャ装置として利用されるコンピュータで実行される情報グループ化プログラムであって、
キャプチャ装置からのキャプチャ要求に対し、その時点で状態情報を生成するステップと、
状態情報に参照ＩＤを付与して情報記憶手段に追記すると共に、該参照ＩＤを要求元のキャプチャ装置に返信するステップと、を有する。
【００３７】
本発明（請求項２７）は、キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信手段を介して通信可能範囲内にあるそれぞれの被キャプチャ装置に対してキャプチャ要求を送信するステップと、
通信手段を介してそれぞれの被キャプチャ装置から参照ＩＤを受信するステップと、
受信した参照ＩＤをまとめて１つのグループとするステップと、
空間的かつ時間的に唯一であるＩＤを生成し、それをグループＩＤとして参照ＩＤのグループに対応付けて、情報記憶手段に追記するステップと、を有する。
【００３８】
本発明（請求項２８）は、キャプチャ装置と被キャプチャ装置からなり、個人の生活や行動にまつわる状態情報群をグループ化して追記する情報グループ化システムにおける被キャプチャ装置として利用されるコンピュータで実行される情報グループ化プログラムであって、
通信手段を介してキャプチャ装置からのキャプチャ要求を受信するステップと、
キャプチャ要求に対し、その時点で開いている情報を状態情報とし、それに参照ＩＤを付与して情報記憶手段に追記するステップと、
通信手段を介して参照ＩＤを要求元のキャプチャ装置に返信するステップと、を有する。
【００３９】
本発明（請求項２９）は、キャプチャ装置と被キャプチャ装置からなり、個人の生活や行動にまつわる状態情報群をグループ化して追記する情報グループ化システムにおけるキャプチャ装置として利用されるコンピュータで実行される情報グループ化プログラムであって、
ユーザのキャプチャ操作をトリガ信号として受け取ると、
通信可能範囲内にある被キャプチャ装置に対して通信手段を介してキャプチャ要求を送信するステップと、
被キャプチャ装置のそれぞれから受信した参照ＩＤをまとめて１つのグループとするステップと、
空間的かつ時間的に唯一であるＩＤを生成し、それをグループＩＤとして参照ＩＤのグループに対応付けて、情報記憶手段に追記するステップと、を有する。
【００４０】
本発明（請求項３０）は、キャプチャ装置と被キャプチャ装置からなり、個人の生活や行動にまつわる状態情報群をグループ化して追記する情報グループ化システムにおける被キャプチャ装置として利用されるコンピュータで実行される情報グループ化プログラムであって、
キャプチャ装置から通信手段を介してキャプチャ要求を受信するステップと、
キャプチャ要求に対し、その時点で開いている情報を状態情報とし、それに参照ＩＤを付与して情報記憶手段に追記するステップと、
通信手段を介して参照ＩＤを要求元のキャプチャ装置に返信するステップと、を有する。
【発明の効果】
【００４１】
上記のように本発明によれば、人が重要だと考えてキャプチャ要求を与えた時点で、その人物に関連する近傍の情報（状態情報）を収集し、ひとつの行動履歴情報のグループとして関係付けることができる。それらのグループ関係を応用することにより、人の行動の分析やリコメンド等において、重要だと考えた時点の情報が見つけ易くなり、より個人の行動などにフィットした情報の提供が可能となる。
【図面の簡単な説明】
【００４２】
【図１】本発明の第１の原理構成図である。
【図２】本発明の第２の原理構成図である。
【図３】本発明の第１の原理を説明するための図である。
【図４】本発明の第２の原理を説明するための図である。
【図５】本発明の第１の実施の形態におけるシステム構成図である。
【図６】本発明の第１の実施の形態におけるキャプチャ装置の構成図である。
【図７】本発明の第１の実施の形態における被キャプチャ装置の構成図である。
【図８】本発明の第１の実施の形態におけるキャプチャ処理のシーケンスチャートである。
【図９】本発明の第１の実施の形態における情報記憶部に追記される情報の例である。
【図１０】本発明の第２の実施の形態におけるシステム構成図である。
【図１１】本発明の第２の実施の形態におけるキャプチャ装置の構成図である。
【図１２】本発明の第２の実施の形態におけるキャプチャ処理のシーケンスチャートである。
【図１３】本発明の第３の実施の形態におけるキャプチャ装置の構成図である。
【図１４】本発明の第３の実施の形態におけるキャプチャ処理のシーケンスチャートである。
【図１５】本発明の第４の実施の形態におけるシステム構成図である。
【図１６】本発明の第４の実施の形態におけるキャプチャ装置の構成図である。
【図１７】本発明の第４の実施の形態におけるキャプチャ処理のシーケンスチャートである。
【図１８】本発明の第５の実施の形態におけるシステム構成図である。
【図１９】本発明の第５の実施の形態におけるキャプチャ処理のシーケンスチャートである。
【図２０】本発明の第６の実施の形態における被キャプチャ装置の構成図である。
【図２１】本発明の第６の実施の形態におけるキャプチャ処理のシーケンスチャートである。
【図２２】本発明の第６の実施の形態における情報記憶部に追記される情報の例である。
【発明を実施するための形態】
【００４３】
以下、図面と共に本発明の実施の形態を説明する。
【００４４】
［第１の実施の形態］
図５は、本発明の第１の実施の形態におけるシステム構成図である。
【００４５】
同図に示すシステムは、１台以上のキャプチャ装置１００と１台以上の被キャプチャ装置２００から構成されている。本実施の形態では、キャプチャ装置１００の構成を図６に示す。このキャプチャ装置１００は、例えば、トリガ部１１０として押しボタン、通信部１２０としてWiFi、bluetooth、ZigBee等の無線通信モジュール、キャプチャ制御部１３０としてＣＰＵ及び制御回路、ＩＤ生成部１４０としてUUID(Universally Unique Identifier、文献:http://www.ietf.org/rfc/rfc4122,txt)の生成回路、情報記憶部１５０としてハードディスクを持つような専用装置として実現することもできるし、WiFi、bluetooth、ZigBee等の無線通信機能を持つパーソナルコンピュータ（ＰＣ）や携帯電話と、その上で動作するソフトウェアとして実現することもできる。
【００４６】
また、第１の実施の形態では、被キャプチャ装置２００の構成を図７に示す。
【００４７】
このような被キャプチャ装置２００は、例えば、センサノード（文献：http://www.bcm.co.jp/site/2004/2004sep/ubiquitous/04ubiqutous09-128p-133p.pdf）として実現することができる。こうしたセンサノードに搭載されるセンサとしては、例えば、温度センサ、湿度センサ、照度センサ、人感センサ、カメラ（静止画／動画）など様々なものが考えられ、従ってそこから出力される状態情報も、温度、湿度、照度、人の存在の有無、静止画、動画等様々なものがある。第１の実施の形態では、被キャプチャ装置２００として、
（１）一定時間毎にセンシングした状態情報を発信するタイプ（タイプ１）；
（２）キャプチャ装置１００からのキャプチャ要求に対してセンシングしたデータを返信するタイプ（タイプ２）；
（３）（１）、（２）の両方の機能を併せ持つタイプ（タイプ３）；
の３種類を想定する。
【００４８】
第１の実施の形態におけるキャプチャ処理の流れは以下の通りである。
【００４９】
図８は、本発明の第１の実施の形態におけるキャプチャ処理のシーケンスチャートである。
【００５０】
キャプチャ装置１００は、ユーザのトリガ操作によってトリガ部１１０からトリガ信号を受け取ると（ステップ１０１）、タイプ１及びタイプ３の被キャプチャ装置２００からその時点で発信されている状態情報を取り込む（ステップ１０２）と共に、タイプ２及びタイプ３の被キャプチャ装置２００にキャプチャ要求を送信し（ステップ１０３）、当該被キャプチャ装置２００において、状態情報を生成し（ステップ１０４）、当該被キャプチャ装置２００から返信された状態情報を取り込み（ステップ１０５）、これらをグループ化し（ステップ１０６）、そのグループにユニークなＩＤを付けて（ステップ１０７）、情報記憶部１５０に追記する（ステップ１０８）。
【００５１】
図９は、第１の実施の形態において情報記憶部１５０に追記される状態情報グループの例である。
【００５２】
［第２の実施の形態］
図１０は、本発明の第２の実施の形態におけるシステム構成図である。
【００５３】
同図に示すシステムは、１台以上のキャプチャ装置１００と１台以上の被キャプチャ装置２００、及び、１つの情報記憶部（サーバ）１５０から構成されており、キャプチャ装置１００と情報記憶サーバ１５０間、及び、キャプチャ装置１００と被キャプチャ装置間は通信ネットワーク１０により接続されている。なお、同図では、別々の通信ネットワークに接続されているように見えるが、まとめて１つの通信ネットワークに接続されていてもよい。
【００５４】
第２の実施の形態では、キャプチャ装置１００の構成を図１１に示す。第１の実施の形態との違いは、情報記憶部１５０をキャプチャ装置１００の外に出し、その情報記憶部１５０に対し、通信ネットワーク１０を介して状態情報の追記を行う点である。
【００５５】
第２の実施の形態の被キャプチャ装置２００の構成は、第１の実施の形態と同様である。
【００５６】
第２の実施の形態の情報記憶サーバ１５０は、例えば、１つ以上のＰＣで構成されるデータベース・サーバや、ファイル・サーバとして実現することができる。
【００５７】
第２の実施の形態におけるキャプチャ処理の流れは、以下の通りである。
【００５８】
図１２は、本発明の第２の実施の形態におけるキャプチャ処理のシーケンスチャートである。
キャプチャ装置１００は、ユーザのトリガ操作によってトリガ部１１０からトリガ信号を受け取ると（ステップ２０１）、タイプ１及びタイプ３の被キャプチャ装置２００からその時点で発信されている状態情報を取り込む（ステップ２０２）と共に、タイプ２及びタイプ３の被キャプチャ装置２００にキャプチャ要求を送信し（ステップ２０３）、被キャプチャ装置２００では、状態情報を生成し（ステップ２０４）、当該被キャプチャ装置２００から返信された状態情報を取り込み（ステップ２０５）、これらをグループ化し、（ステップ２０６）そのグループにユニークなＩＤを付け（ステップ２０７）、通信ネットワーク１０を介して情報記憶サーバ１５０に追記する（ステップ２０８）。
【００５９】
第２の実施の形態において情報記憶部１５０に追記される状態情報グループの形式は、第１の実施の形態と同様であるので、その説明を省略する。
【００６０】
［第３の実施の形態］
図１３は、本発明の第３の実施の形態におけるキャプチャ装置の構成図である。第１の実施の形態のとの違いは、ＩＤ生成部１４０をキャプチャ装置１００の外にＩＤサーバ１４５として出し、そのＩＤサーバ１４５に対し、通信ネットワーク１０を介してＩＤ生成処理のやり取りを行う点である。
【００６１】
第３の実施の形態の被キャプチャ装置２００の構成は、第１の実施の形態と同様である。
【００６２】
第３の実施の形態では、ＩＤサーバ１４５は、例えば、１つ以上のＰＣで構成されるＩＤサーバとして実現される。
【００６３】
第３の実施の形態におけるキャプチャ処理の流れは、以下の通りである。
【００６４】
図１４は、本発明の第３の実施の形態におけるキャプチャ処理のシーケンスチャートである。
【００６５】
キャプチャ装置１００は、ユーザのトリガ操作によってトリガ部１１０からトリガ信号を受け取ると（ステップ３０１）、タイプ１及びタイプ３の被キャプチャ装置２００からその時点で発信されている状態情報を取り込む（ステップ３０２）と共に、タイプ２及びタイプ３の被キャプチャ装置２００にキャプチャ要求を送信し（ステップ３０３）、被キャプチャ装置２００において状態情報を生成し（ステップ３０４）、当該被キャプチャ装置２００から返信された状態情報を取り込み（ステップ３０５）、これらをグループ化し（ステップ３０６）、そのグループに通信ネットワーク１０を介してＩＤサーバ１４５とのやりとりによって生成したユニークなＩＤを付け（ステップ３０７，３０８）、情報記憶部１５０に追記する（ステップ３０９）。
【００６６】
第３の実施の形態において情報記憶部１５０に追記される状態情報グループの形式は、第１の実施の形態と同様であるので、その説明を省略する。
【００６７】
［第４の実施の形態］
図１５は、本発明の第４の実施の形態におけるシステム構成図である。
【００６８】
同図に示すシステムは、１台以上のキャプチャ装置１００と、１台以上の被キャプチャ装置２００、及び１つの情報記憶兼ＩＤサーバ１６０から構成されており、キャプチャ装置１００と情報記憶兼ＩＤサーバ１６０間、及び、キャプチャ装置１００と被キャプチャ装置間は通信ネットワーク１０により接続されている。なお、同図では、別々の通信ネットワークに接続されているように見えるが、まとめて１つの通信ネットワークに接続されていてもよい。
【００６９】
図１６は、本発明の第４の実施の形態におけるキャプチャ装置の構成図である。第１の実施の形態との違いは、情報記憶及びＩＤ生成処理のやり取りを行う点である。
【００７０】
第４の実施の形態における被キャプチャ装置２００の構成は第１の実施の形態と同様であるので、その説明は省略する。
【００７１】
第４の実施の形態では、情報記憶部１５０とＩＤ生成部１４０は、例えば１つ以上のＰＣで構成される情報記憶兼ＩＤサーバ１６０として実現される。
【００７２】
本実施の形態におけるキャプチャ処理の流れは、以下の通りである。
【００７３】
図１７は、本発明の第４の実施の形態におけるキャプチャ処理のシーケンスチャートである。
【００７４】
本実施の形態では、キャプチャ装置１００は、ユーザのトリガ操作によってトリガ部１１０からトリガ信号を受け取ると（ステップ４０１）、タイプ１及びタイプ３の被キャプチャ装置２００からその時点で発信されている状態情報を取り込む（ステップ４０２）と共に、タイプ２及びタイプ３の被キャプチャ装置２００にキャプチャ要求を送信し（ステップ４０３）、被キャプチャ装置２００において状態情報を生成し（ステップ４０４）、当該被キャプチャ装置２００から返信された状態情報を取り込み（ステップ４０５）、これらをグループ化し（ステップ４０６）、そのグループに、通信ネットワーク１０を介した情報記憶兼ＩＤサーバ１６０とのやり取りによって生成したユニークなＩＤを付け（ステップ４０７，４０８）、通信ネットワーク１０を介して情報兼記憶ＩＤサーバ１６に追記する（ステップ４０９）。
【００７５】
第４の実施の形態において情報記憶部１５０に追記される状態情報グループの形式は、第１の実施の形態と同様である。
【００７６】
［第５の実施の形態］
図１８は、本発明の第５の実施の形態におけるシステム構成図である。
【００７７】
同図に示すシステムは、１台以上のキャプチャ装置１００と１台以上の被キャプチャ装置２００、及び１つの情報記憶兼ＩＤサーバ１６０、１つの認証サーバ１７０から構成されている。キャプチャ装置１００と情報記憶兼ＩＤサーバ１６０間、及び、キャプチャ装置１００と被キャプチャ装置間は通信ネットワーク１０により接続され、また、当該通信ネットワーク１０には、認証サーバ１７０が接続されている。なお、同図では、別々の通信ネットワークに接続されているように見えるが、まとめて１つの通信ネットワークに接続されていてもよい。
【００７８】
第４の実施の形態との違いは、新たに認証部を持つ認証サーバ１７０を追加し、キャプチャ装置１００と被キャプチャ装置２００及び情報記憶兼ＩＤサーバ１６０が相互に、あるいは一方が他に対し認証を行った上で通信を行う点である。
【００７９】
第５の実施の形態のキャプチャ装置１００、被キャプチャ装置２００、情報記憶兼ＩＤサーバ１６０の構成は、第４の実施の形態と同様であるので、その説明を省略する。
【００８０】
第５の実施の形態では、認証は、例えば、１つ以上のＰＣで構成されるＩＤ認証サーバ１７０として実現される。
【００８１】
本実施の形態におけるキャプチャ処理は、以下の通りである。
【００８２】
図１９は、本発明の第５の実施の形態におけるキャプチャ処理のシーケンスチャートである。
【００８３】
第５の実施の形態では、それぞれのキャプチャ装置１００のユーザは、予めどの被キャプチャ装置２００から状態情報を収集するかをキャプチャ装置１００に設定しておく。また、それぞれの被キャプチャ装置２００（タイプ２及びタイプ３）の所有者は、予めどのキャプチャ装置１００にキャプチャ要求を許可するかを被キャプチャ装置２００に設定しておく。また、それぞれのキャプチャ装置１００及び被キャプチャ装置２００は、予め認証サーバ１７０に認証要求を行い、認証結果の証明を保持しておく（ステップ５０１）。
【００８４】
さらに、それぞれのキャプチャ装置１００は、通信可能範囲内にある被キャプチャ装置２００と、予め通信を行い、それらの被キャプチャ装置２００からその認証結果証明を収集しておく（ステップ５０２）。
【００８５】
ユーザのトリガ操作によってトリガ部１１０からトリガ信号を受け取ると（ステップ５０３）、正しい認証結果証明を持ち、かつ、前記の事前に状態情報収集対象と設定された被キャプチャ装置のうち、タイプ１及びタイプ３の被キャプチャ装置（例えば被キャプチャ装置２００１）からその時点で発信されている状態情報を取り込むと共に、タイプ２及びタイプ３の被キャプチャ装置（例えば、被キャプチャ装置２００２）に、認証結果証明と共にキャプチャ要求を送信する。これを受信したタイプ２及びタイプ３の被キャプチャ装置（例えば、被キャプチャ装置２００２）は、該キャプチャ要求が、正しい認証結果証明を持ち、かつ、前記の事前にキャプチャ要求を許可すると設定されたキャプチャ装置１００からの要求である場合に限り、状態情報を生成して（ステップ、５０４，５０５、５０６）状態情報を返信する。状態情報が返信された場合、キャプチャ装置１００は該状態情報を取り込み（ステップ５０７）、それぞれの被キャプチャ装置２００から取り込んだ状態情報をグループ化し（ステップ５０８）、そのグループに通信ネットワーク１０を介した情報記憶兼ＩＤサーバ１６０とのやりとりによって生成したユニークなＩＤを付け（ステップ５０９）、通信ネットワーク１０を介して情報記憶兼ＩＤサーバ１６０の情報記憶部１５０に追記する（ステップ５１０）。
【００８６】
第５の実施の形態において情報記憶部１５０に追記される状態情報グループ形式は、第１の実施の形態と同様である。
【００８７】
［第６の実施の形態］
第６の実施の形態の構成は、第１の実施の形態の図５と同様である。また、第６の実施の形態におけるキャプチャ装置１００の構成は、第１の実施の形態における図６と同様であるので、その説明を省略する。
【００８８】
第６の実施の形態における被キャプチャ装置２００の構成を図２０に示す。このような被キャプチャ装置２００は、第１の実施の形態と同様に、例えば、センサノードとして実現することができる一方、WiFi、bluetooth、ZigBee等の無線通信機能を持つＰＣや携帯電話と、その上で動作するソフトウェアとして実現することもできる。第６の実施の形態では、被キャプチャ装置２００として、キャプチャ装置１００からのキャプチャ要求に対して、開いている状態情報にユニークな参照ＩＤを付けて追記すると共に、要求元に対して該参照ＩＤを返信するタイプを想定する。
【００８９】
第６の実施の形態におけるキャプチャ処理の流れは、以下の通りである。
【００９０】
図２１は、本発明の第６の実施の形態におけるキャプチャ処理のシーケンスチャートである。
【００９１】
キャプチャ装置１００は、ユーザのトリガ操作によってトリガ部１１０からトリガ信号を受け取ると（ステップ６０１）、被キャプチャ装置２００にキャプチャ要求を送信する（ステップ６０２）。キャプチャ要求を受けた被キャプチャ装置２００は、現在開いている状態情報（例えば、ＰＣならば開いているファイル、動画カメラならば撮影中の動画像）が存在すればその状態情報を、また現在開いている情報がなければ新たに生成した状態情報（例えば静止画カメラならば新たに撮影した静止画）を、ユニークな参照ＩＤを付けて情報記憶部２３０に追記する（ステップ６０３，６０４）と共に、該参照ＩＤを要求元のキャプチャ装置１００に返信する（ステップ６０５）。キャプチャ装置１００は、それぞれの被キャプチャ装置２００から返信された状態情報の参照ＩＤを取り込み、これらをグループ化し（ステップ６０６）、そのグループにユニークなＩＤを付けて情報記憶部１５０に追記する（ステップ６０７）。
【００９２】
図２２は、本発明の第６の実施の形態において情報記憶部１５０に追記される状態情報グループの例である。
【００９３】
また、上記の第６の実施の形態における被キャプチャ装置２００の情報記憶部２３０を外部に出し、通信ネットワーク１０を介して状態情報を追記するようにすることも可能である。
【００９４】
なお、上記の第１〜第６の実施の形態で示したキャプチャ装置及び被キャプチャ装置の各構成要素の動作をプログラムとして構築し、キャプチャ装置及び被キャプチャ装置として利用されるコンピュータにインストールして実行させる、または、ネットワークを介して流通させることが可能である。
【００９５】
また、構築されたプログラムをハードディスクや、フレキシブルディスク・ＣＤ−ＲＯＭ等の可搬記憶媒体に格納し、コンピュータにインストールする、または、配布することが可能である。
【００９６】
なお、本発明は、上記の実施の形態及び実施例に限定されることなく、特許請求の範囲内において種々変更・応用が可能である。
【産業上の利用可能性】
【００９７】
本発明は、電子メール、インスタント・メッセンジャーで送受信したメッセージ、閲覧したＷｅｂページ、撮影した写真、音楽やラジオ番組、ビデオやテレビ番組、携帯電話での会話、ＧＰＳで記録される移動軌跡、個人のブログ記事等のライフログを収集し、検索可能な形式で追記するデータ管理技術に適用可能である。
【符号の説明】
【００９８】
１０  通信ネットワーク
１００  キャプチャ装置
１１０  トリガ手段、トリガ部
１２０  第１の通信手段、通信部
１３０  キャプチャ制御手段、キャプチャ制御部
１４０  ＩＤ生成手段、ＩＤ生成部
１４１  通信部
１４５  ＩＤサーバ
１５０  情報記憶手段、第１の記憶手段、情報記憶部、情報記憶サーバ
１５１  通信部
１６０  情報記憶兼ＩＤサーバ
１６１  通信部
１６２  制御部
１７０  ＩＤ認証サーバ
２００  被キャプチャ装置
２１０  第２の通信手段、通信部
２２０  状態情報制御部
２３０  情報記憶手段、第２の記憶手段、情報記憶部
２３１  通信部
２３２  情報記憶手段
２５０  状態情報生成手段、状態情報生成部
【図１】
2011076454.tif 000003
【図２】
2011076454.tif 000004
【図３】
2011076454.tif 000005
【図４】
2011076454.tif 000006
【図５】
2011076454.tif 000007
【図６】
2011076454.tif 000008
【図７】
2011076454.tif 000009
【図８】
2011076454.tif 000010
【図９】
2011076454.tif 000011
【図１０】
2011076454.tif 000012
【図１１】
2011076454.tif 000013
【図１２】
2011076454.tif 000014
【図１３】
2011076454.tif 000015
【図１４】
2011076454.tif 000016
【図１５】
2011076454.tif 000017
【図１６】
2011076454.tif 000018
【図１７】
2011076454.tif 000019
【図１８】
2011076454.tif 000020
【図１９】
2011076454.tif 000021
【図２０】
2011076454.tif 000022
【図２１】
2011076454.tif 000023
【図２２】
2011076454.tif 000024